(57)【要約】      （修正有）【課題】目地部を塞ぐことができると共に、目地プレート同士の当接部分から雨水等が下方へ落下することを確実に防止できる床用目地装置を提供する。【解決手段】一方の躯体３に設けられた第１の目地プレート支持部５と、他方の躯体４に設けられた第２の目地プレート支持部６と、第１の目地プレート支持部５に一端部８ａが支持されるとともに、第２の目地プレート支持部６に他端部８ｂが支持され、前後方向の少なくとも一側面に雨水排出部７を備える雨水排出目地プレート８と、第１の目地プレート支持部５に一端部１０ａが支持されるとともに、第２の目地プレート支持部６に他端部１０ｂが支持され、レール状の雨水受け部材９が雨水排出部７に対向するように設置される雨水受け目地プレート１０とで構成され、目地プレート１０の雨水排出部７は、雨水が雨水受け部材９に落下するように下方に突出する雨水滴下部を有する。【選択図】図１
2019007317.tif 000002
【特許請求の範囲】
【請求項１】
一方と他方の躯体間の目地部を塞ぐ床用目地装置において、前記一方の躯体に設けられた第１の目地プレート支持部と、前記他方の躯体に設けられた第２の目地プレート支持部と、前記第１の目地プレート支持部に一端部が支持されるとともに、前記第２の目地プレート支持部に他端部が支持され、かつ、前後方向の少なくとも一側面に雨水排出部を備える雨水排出目地プレートと、前記第１の目地プレート支持部に一端部が支持されるとともに、前記第２の目地プレート支持部に他端部が支持され、かつ、レール状の雨水受け部材が前記雨水排出部に対向するように設置される雨水受け目地プレートとで構成され、
前記雨水排出部は、前記レール状の雨水受け部材が入り込むように形成された凹所と、該凹所の上部に形成され、かつ、雨水が前記雨水受け部材に落下するように下方に突出する雨水滴下部とからなる床用目地装置。
【請求項２】
前記雨水滴下部は、鋭角状の角部に形成されていることを特徴とする請求項１に記載の床用目地装置。
【請求項３】
レール状の雨水受け部材は、傾斜状態となるように設けられていることを特徴とする請求項１又は請求項２のいずれかに記載の床用目地装置。
【請求項４】
前記凹所には、シール部材を備えることを特徴とする請求項１乃至請求項３のいずれかに記載の床用目地装置。
【発明の詳細な説明】
【技術分野】
【０００１】
本発明は目地部を介して設けられた躯体の間の目地部を塞ぐ床用目地装置に関する。
【背景技術】
【０００２】
従来、雨水等を排水処理等することができる目地プレートを備える目地部を塞ぐ床用目地装置としては、「目地部を介して設けられた左右の床躯体の少なくとも一方の目地部側の床躯体に、反目地部側が傾斜面に形成された目地プレートスライド支持凹部と、この目地プレートスライド支持凹部を覆う目地プレート下地カバーと、前記目地プレートスライド支持凹部にスライド移動可能で、かつ前記目地部を覆う浅皿状の皿部材を備える複数の目地プレートと、この目地プレートの上面の水を前記目地プレート下地カバー上あるいは、前記目地部の近傍部位へ排水する、該目地プレートに埋設された排水パイプと、前記目地プレート下地カバー上あるいは前記目地部の近傍部位に排水された水を受けられるように、前記一方の目地部側の床躯体に取付けられた樋とからなることを特徴とする床用目地装置」が知られている（特許文献１）。
【０００３】
しかしながら、このような床用目地装置では、目地プレート上面に溜まった雨水等を排水することはできるものの、互いに隣り合う目地プレート同士の当接部分から下方へ流れ落ちる雨水等を所定の部位へ排出することはできなかった。
【先行技術文献】
【特許文献】
【０００４】
【特許文献１】特許第５３９０４５９号公報
【発明の概要】
【発明が解決しようとする課題】
【０００５】
本発明は以上のような従来の欠点に鑑み、目地部を塞ぐことができると共に、目地プレート同士の当接部分から雨水等が下方へ落下することを確実に防止できる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の床用目地装置は、一方と他方の躯体間の目地部を塞ぐ床用目地装置において、前記一方の躯体に設けられた第１の目地プレート支持部と、前記他方の躯体に設けられた第２の目地プレート支持部と、前記第１の目地プレート支持部に一端部が支持されるとともに、前記第２の目地プレート支持部に他端部が支持され、かつ、前後方向の少なくとも一側面に雨水排出部を備える雨水排出目地プレートと、前記第１の目地プレート支持部に一端部が支持されるとともに、前記第２の目地プレート支持部に他端部が支持され、かつ、レール状の雨水受け部材が前記雨水排出部に対向するように設置される雨水受け目地プレートとで構成され、前記雨水排出部は、前記レール状の雨水受け部材が入り込むように形成された凹所と、該凹所の上部に形成され、かつ、雨水が前記雨水受け部材に落下するように下方に突出する雨水滴下部とからなることを特徴とする。
【発明の効果】
【０００８】
以上の説明から明らかなように、本発明にあっては次に列挙する効果が得られる。
（１）請求項１に記載の各発明においては、雨水滴下部から落下する雨水を雨水受け部材で受けることができるので、目地部の下部等に雨水が落下することを確実に防止することができる。
（２）雨水を雨水受け部材で受けることができるので、任意の場所に雨水を排水することができる。
（３）請求項２に記載の発明においても、前記（１）〜（２）と同様な効果が得られるとともに、効率よく雨水滴下部から雨水を落下させることができる。
（４）請求項３に記載の発明においても、前記（１）〜（３）と同様な効果が得られるとともに、雨水受け部材が傾斜状態で設けられているため、雨水受け部材からすばやく雨水を排水することができる。
【図面の簡単な説明】
【０００９】
図１乃至図７は本発明の第１の実施形態を示す説明図である。
図８乃至図１２は本発明の第２の実施形態を示す説明図である。
図１３乃至図１６は本発明の第３の実施形態を示す説明図である。
【図１】第１の実施形態を示す床用目地装置の平面図（通常時）。
【図２】図１の２−２線に沿う断面図。
【図３】図１の３−３線に沿う断面図。
【図４】雨水排出目地プレートの説明図。
【図５】雨水受け目地プレートの説明図。
【図６】地震で目地部が狭くなった場合の正面視側からの動作説明図。
【図７】地震で目地部が広くなった場合の正面視側からの動作説明図。
【図８】第２の実施形態を示す床用目地装置の平面図（通常時）。
【図９】図８の９−９線に沿う断面図。
【図１０】図８の１０−１０線に沿う断面図。
【図１１】雨水排出目地プレートの説明図。
【図１２】雨水受け目地プレートの説明図。
【図１３】第３の実施形態を示す床用目地装置の平面図（通常時）。
【図１４】図１３の１４−１４線に沿う断面図。
【図１５】図１３の１５−１５線に沿う断面図。
【図１６】雨水排出目地プレートの説明図。
【発明を実施するための形態】
【００１０】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置された床用目地装置である。
なお、左右方向とは図１（平面視）における左右方向であり、前後方向とは図１における上下方向、上下方向とは図２における上下方向をいう。
【００１１】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
本実施形態の床用目地装置１は、図１乃至図３に示すように、一方の躯体３に設けられた第１の目地プレート支持部５と、他方の躯体４に設けられた第２の目地プレート支持部６と、前記第１の目地プレート支持部５に一端部８ａが支持されるとともに、前記第２の目地プレート支持部６に他端部８ｂが支持され、前後方向の少なくとも一側面に雨水排出部７を備える雨水排出目地プレート８と、前記第１の目地プレート支持部５に一端部１０ａが支持されるとともに、前記第２の目地プレート支持部６に他端部１０ｂが支持され、レール状の雨水受け部材９が前記雨水排出部７に対向するように設置される雨水受け目地プレート１０とで構成されている。
【００１３】
なお、略当接するとは、目地プレート同士がぴったりと当接している状態及びわずかな隙間を介して隣り合っている状態を含むものである。
【００１４】
第１の目地プレート支持部５は、例えば図２に示すように、一方の躯体３の目地部側の端部に凹所状に形成されている。本実施形態では、一方の躯体３に一体的に第１の目地プレート支持部５を形成しているが、例えば、一方の躯体３の目地部側の壁面にアングル状、クランク状等の金具を固定して、この金具を第１の目地プレート支持部５としてもよい。
【００１５】
この第１の目地プレート支持部５には、雨水排出目地プレート８等を取付けるための取付ピン１２が固定されている。
【００１６】
第２の目地プレート支持部６は、例えば図２に示すように、他方の躯体４の目地部２側の床面上に形成されており、目地部２と反対側の端部には傾斜面１３が形成されている。
雨水排出目地プレート８は、図４に示すように、浅皿状で、少なくとも一側面、本実施形態では前後方向の両側面に雨水排出部７を備える雨水排出目地プレート本体１４と、雨水排出目地プレート本体１４の一端部側の両端部に設けられ、第１の目地プレート支持部５に固定された取付ピン１２が挿入されるピンボックス１５と、雨水排出目地プレート本体１４の内部に充填されるモルタルやコンクリート等の充填部材１６と、この充填部材１６の上面に設けられた化粧板１７と、雨水排出目地プレート本体１４の他端部側にヒンジ部材１８を介して設けられたカバープレート１９とで構成されている。
【００１７】
この雨水排出部７は、前記レール状の雨水受け部材９が入り込むように形成された凹所２０と、該凹所２０の上部に形成され、雨水が前記雨水受け部材９に落下するように下方に突出する雨水滴下部２１とで構成されている。このように雨水排出部７の凹所２０に他の目地プレートの雨水受け部材９が入り込むことにより、隙間なく目地部２を塞ぐことができるとともに、目地プレート間の隙間から落下する雨水を確実に受けることができる。
雨水滴下部２１は、本実施形態では、先端部が鋭角状に下方に突出する角部となっており、このような形状にすることにより、雨水が突出部の先端方向に流れやすくなり、スムーズに雨水を滴下することができる。
【００１８】
なお、この雨水滴下部２１は、本実施形態では曲げ加工により形成されているため、その先端部は若干Ｒ形状となっているが、例えばこの雨水滴下部２１を雨水排出目地プレート本体１４とは別体に形成し、溶接等で固定して先端部が尖った形状にしてもよい。
雨水排出目地プレート８は、通常前後方向の両側面に雨水排出部７が形成されるが、目地部の端部に位置する雨水排出目地プレート８Ａは、一側面のみに雨水排出部７が形成されている。
【００１９】
雨水受け目地プレート１０は、図５に示すように、浅皿状で、中間目地プレート１１と略当接する側面にレール状の雨水受け部材９を備える雨水受け目地プレート本体２２と、雨水受け目地プレート本体２２の一端部側の両端部に設けられ、第１の目地プレート支持部５に固定された取付ピン１２が挿入されるピンボックス１５と、雨水受け目地プレート本体２２の内部に充填されるモルタルやコンクリート等の充填部材１６と、この充填部材１６の上面に設けられた化粧板１７と、雨水受け目地プレート本体２２の他端部側にヒンジ部材１８を介して設けられたカバープレート１９とで構成されている。
【００２０】
レール状の雨水受け部材９は、その底面が雨水受け目地プレート１０の他端部１０ｂ側へ傾斜するように取り付けられている。このように取付けることにより雨水が雨水受け目地プレート１０の他端部１０ｂ側へスムーズに流れ、スムーズに排水することができる。このレール状の雨水受け部材９は、底面が傾斜状ではなく略フラットとなるように設けてもよい。
【００２１】
なお、排水された雨水等は、好ましくは図示しない排水口や雨樋等から躯体外へ排出される。
【００２２】
雨水受け目地プレート１０についても、通常前後方向の両側面に雨水受け部材９が設けられるが、目地部２の端部に位置する雨水受け目地プレート１０Ａは、一側面のみに雨水受け部材９が設けられている。
【００２３】
このように雨水排出目地プレート８及び雨水受け目地プレート１０を配置することにより、隙間なく目地部２を塞ぐことができるとともに、各目地プレートの当接部分から下方へ落下する雨水を、確実に受けることができる。
【００２４】
本実施形態では、端部の雨水排出目地プレート８Ａ、雨水受け目地プレート１０、雨水排出目地プレート８、端部の雨水受け目地プレート１０Ａの順番で、雨水受け目地プレート１０と雨水排出目地プレート８を交互に略隙間なく並列状態で並べて目地部２を塞いでいる。目地部２の前後方向の長さが長い場合には、雨水受け目地プレート１０と雨水排出目地プレート８をそれぞれ複数個用いて目地部２を塞ぐ。
【００２５】
地震で躯体３、４が左右方向に揺れ動き目地部２が狭くなると、図６に示すように、雨水排出目地プレート８及び雨水受け目地プレート１０は第２の目地プレート支持部６の傾斜面１３に乗り上げ、地震による揺れ動きを吸収する。
【００２６】
地震で躯体３、４が左右方向に揺れ動き目地部２が広くなると、図７に示すように、雨水排出目地プレート８及び雨水受け目地プレート１０は第２の目地プレート支持部６を左右方向にスライド移動し、地震による揺れ動きを吸収することができる。
【００２７】
[発明を実施するための異なる形態]
次に、図８乃至図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図８乃至図１２に示す本発明を実施するための第２の形態において、前記本発明を実施するための第１の形態と主に異なる点は、前記第１の実施形態で目地部の端部に用いた雨水排出目地プレート８Ａ及び雨水受け目地プレート１０Ａのみで目地部２を塞ぐ床用目地装置１Ａにした点で、このような床用目地装置１Ａにしても、前記本発明を実施するための第１の形態と同様の作用効果を得ることができる。
【００２８】
図１３乃至図１６に示す本発明を実施するための第３の形態において、前記本発明を実施するための第１の形態と主に異なる点は、雨水排出目地プレート８、８Ａの凹所２０の上部の雨水滴下部２１を除く部位にレール状の雨水受け部材９の先端部９ａが当接するシール部材２３を設けた雨水排出部７Ａにした点で、このような床用目地装置１Ｂにしても、前記本発明を実施するための第１の形態と同様の作用効果を得ることができる。
【００２９】
このシール部材２３は本実施形態ではゴムで形成されており、前後方向に延在するように設けられている。このシール部材２３の上部は凹所２０の上部の曲面に対応する曲面に形成されており、下部には、雨水受け部材９の先端部９ａが入り込む切り欠き２４が形成されている。本実施形態では、この切り欠き２４に雨水受け部材９の先端部９ａが入り込むが、シール部材２３に切り欠き２４を形成せず、単にシール部材２３と雨水受け部材９の先端部９ａが当接する状態となる形状としてもよい。
【００３０】
前述した凹所２０は、例えば図１５で示すように、雨水排出目地プレート８、８Ａの側部に形成されており、本実施形態では、断面視上方が曲面状に形成され、この曲面部分にシール部材２３を配置している。
【００３１】
なお、本実施形態ではレール状の雨水受け部材を別体で形成して目地プレートに固定しているが、目地プレートに一体的に形成してもよい。
【産業上の利用可能性】
【００３２】
本発明は床用目地装置を製造する産業で利用される。
【符号の説明】
【００３３】
１、１Ａ：床用目地装置、            ２：目地部、
３：一方の躯体、                    ４：他方の躯体、
５：第１の目地プレート支持部、      ６：第２の目地プレート支持部、
７、７Ａ：雨水排出部、                ８、８Ａ：雨水排出目地プレート、
９：雨水受け部材、                  １０、１０Ａ：雨水受け目地プレート、１２：取付ピン、                    １３：傾斜面、
１４：雨水排出目地プレート本体、    １５：ピンボックス、
１６：充填部材、                    １７：化粧板、
１８：ヒンジ部材、                  １９：カバープレート、
２０：凹所、                        ２１：雨水滴下部、
２２：雨水受け目地プレート本体、    ２３：シール部材、
２４：切り欠き。
【図１】
2019007317.tif 000003
【図２】
2019007317.tif 000004
【図３】
2019007317.tif 000005
【図４】
2019007317.tif 000006
【図５】
2019007317.tif 000007
【図６】
2019007317.tif 000008
【図７】
2019007317.tif 000009
【図８】
2019007317.tif 000010
【図９】
2019007317.tif 000011
【図１０】
2019007317.tif 000012
【図１１】
2019007317.tif 000013
【図１２】
2019007317.tif 000014
【図１３】
2019007317.tif 000015
【図１４】
2019007317.tif 000016
【図１５】
2019007317.tif 000017
【図１６】
2019007317.tif 000018